(57)【要約】  建物内を通って伝搬する音の吸収のために建物内に配される音響バッフル（１）であって、音響バッフル（１）は、少なくとも一つの吸音材のパネル（２）を備えており、バッフル（１）は、少なくとも一つの端部（３）を備え、該端部（３）は、形状嵌合によって吊り下げ形材（８）を収容可能にするための大きさ及び形状でバッフル（１）に配された凹入部（４）を有している、音響バッフル（１）。【選択図】図３
2019523893.tif 000002
【特許請求の範囲】
【請求項１】
建物内を通って伝搬する音の吸収のために建物内に配される音響バッフル（１）であって、
前記音響バッフル（１）は、少なくとも一つの吸音材のパネル（２）を備えており、
前記バッフル（１）は、少なくとも一つの端部（３）を備え、該端部（３）は、形状嵌合によって吊り下げ材料（８）を収容可能にするための大きさ及び形状で前記バッフル（１）に配された凹入部（４）を有している、音響バッフル（１）。
【請求項２】
前記バッフル（１）が、フレームレスである、請求項１に記載の音響バッフル（１）。
【請求項３】
前記凹入部（４）が、前記少なくとも一つの端部（３）に沿って、第１側面（２１）と第２側面（２２）との間に連続して延びている、請求項１又は２に記載の音響バッフル（１）。
【請求項４】
前記凹入部（４）が、前記端部（３）の表面に対して直角に延びている第１区画（４１）と、前記第１区画（４１）につながっており前記端部（３）の表面に対して平行に延びている第２区画（４２）とを有し、それによってＴ字状の吊り下げ形材（８）を収容可能な凹入部（４）を形成している、請求項１乃至３いずれか１項に記載の音響バッフル（１）。
【請求項５】
前記バッフル（１）は、第１パネル部（２３）と第２パネル部（２４）とを備え、前記第１パネル部（２３）と前記第２パネル部（２４）とが互いに接続されることによって、前記第１パネル部（２３）の一方側の表面が前記第２パネル部（２４）の一方側の表面に接触しており、前記第１パネル部（２３）と前記第２パネル部（２４）との間の接触領域に前記凹入部（４）を形成している、請求項１乃至４いずれか１項に記載の音響バッフル（１）。
【請求項６】
前記第１パネル部（２３）及び前記第２パネル部（２４）は、単一のパネルが折り曲げられてなる二つの部分である、請求項５に記載の音響バッフル（１）。
【請求項７】
前記第１パネル部（２３）は第１スリット（４１１）を備え、前記第２パネル部（２４）は第２スリット（４１２）を備え、
前記第１スリット（４１１）及び前記第２スリット（４１２）は、前記凹入部（４）の前記第２区画（４２）を形成するように並んでいる、請求項５又は６に記載の音響バッフル（１）。
【請求項８】
前記パネル（２）は、前記第１パネル部（２３）と前記第２パネル部（２４）との間に配された第３パネル部（２５）を備え、
前記第１パネル部（２３）と前記第３パネル部（２５）との間、及び、前記第２パネル部（２４）と前記第３パネル部（２５）との間それぞれに、Ｖ字状切欠部分（２６、２７）が形成されている、請求項５乃至７のいずれか１項に記載の音響バッフル（１）。
【請求項９】
前記バッフル（１）が、全体にわたるイラスト又は装飾を有しており、該イラスト又は装飾は、前記バッフル（１）の少なくとも、前側（２１１）から底側（２１２）をわたって後側（２１３）まで連続的に且つ継ぎ目なしに広がっている、請求項１乃至８いずれか１項に記載の音響バッフル（１）。
【請求項１０】
前記凹入部（４）内に配された吊り下げ形材（８）をさらに備えている、請求項１乃至９いずれか１項に記載の音響バッフル（１）。
【請求項１１】
音響バッフル（１）の製造方法であって、
吸音材のパネル（２）を提供するステップと、
選択的には、前記パネル（２）の少なくとも一つの主たる面上にイラスト又は装飾を適用するステップと、
前記パネル（２）の別の表面に少なくとも一つのスリットを提供し、形状嵌合によって吊り下げ形材（８）を収容可能な凹入部（４）を形成するステップと、を備えている音響バッフル（１）の製造方法。
【請求項１２】
第１パネル部（２３）と第３パネル部（２５）との間、及び、第２パネル部（２４）と第３パネル部（２５）との間それぞれに、分離したＶ字状切欠部分（２６、２７）を切り込むステップと、
前記第１パネル部（２３）の一方側の表面が前記第２パネル部（２４）の一方側の表面に接触するように、第１パネル部（２３）を第２パネル部（２４）の方へ折り曲げるステップと、をさらに備えている請求項１１に記載の音響バッフル（１）の製造方法。
【請求項１３】
折り曲げられたときに吊り下げ形材（８）を収容可能な凹入部（４）を形成するように、前記第１パネル部（２３）に第１スリット（４１１）を切り込み、前記第２パネル部（２４）に第２スリット（４１２）を切り込むステップをさらに備えている、請求項１２に記載の音響バッフル（１）の製造方法。
【請求項１４】
前記凹入部（４）内に吊り下げ形材（８）を配するステップをさらに備えている、請求項１１乃至１３のいずれか１項に記載の音響バッフル（１）の製造方法。
【請求項１５】
前記凹入部（４）の最終位置に到達するまで前記吊り下げ形材が前記凹入部（４）に沿ってスライドするように、前記音響バッフル（１）を吊り下げ形材（８）に押し付ける、請求項１４に記載の音響バッフル（１）の製造方法。
【発明の詳細な説明】
【技術分野】
【０００１】
本発明は、建物内を通って伝搬する音の吸収のために建物内に配される音響バッフルに関する。
【背景技術】
【０００２】
本発明は、室内音響の技術分野に関する。室内音響は、一般に、部屋の囲われた空間内（すなわち建物内）において伝搬する音波を扱う。音の挙動は、とりわけ、室内を通って伝搬する光線と同様の動きを示すものと説明され得る。音波は、部屋の壁、床及び天井で反射する。入射波は反射波と干渉し、振幅が一致することによって最大音並びに最小音それぞれが増大する（例えば、定常波のように）。
【０００３】
特に、補助的な音響最適化の場合、又は、（音響効果のある）吊り天井に対する代替的若しくは追加的な音響最適化として、音響バッフルの使用による吸音は、音を吸収し、実質的に室内音響を改善できるようにする。従来、複数の音響バッフルが天井に配されている。入射音波は音響バッフルに吸収され、それによって天井から下方に反射される音が最小化される。
【０００４】
市場でよく知られている製品は、ＫＮＡＵＦ  ＡＭＦ  ＴＨＥＲＭＡＴＥＸ  ＢＡＦＦＬＥであり、該製品は、吸音材から作製されたフリースで覆われたパネルである。該パネルは、矩形状の断面形状（例えば１２００×３００ｍｍ）を有し、金属フレームによって囲われている。該バッフルは、吊り下げワイヤーを介した従来の方法で天井に固定され、該吊り下げワイヤーは、ケーブルハンガーを用いることによって天井に固定され且つバッフルのフレームにおける接続タブに固定される。該バッフルのフレームは、パネル幅のクローズ型の金属形材であって、パネルの周囲を囲っている。該バッフルにおけるフレームの接続タブは、例えば、側方の接続タブ又は上部のねじとして形成され得る。このような設置に関する欠点は、金属フレームの存在であり、該金属フレームは、バッフルの一方側の表面から反対側の表面にまで広がる連続したデザインを妨げる。
【０００５】
従来技術の吸音システムにおいて、金属フレームのない音響バッフルが提供されていることが知られている。例えば、ＧＢ２１８２４８１Ａにおいて、ノイズ吸収用としての多孔質吸音材のパネルが知られており、該パネルは、薄い音透過性被覆材で囲われている。該被覆材は、伝達する音が吸音材上の被覆材を通して伝搬することを可能にする。
【０００６】
継ぎ目が、被覆材によって形成されており、該被覆材は、吸音材を配するための空洞を区画している。前記継ぎ目は、天井におけるバッフルの設置のために、被覆材に吊り下げワイヤーを接続することを可能にする。原理上このバッフルは、前記継ぎ目によって、バッフルの一方側の表面から反対側の表面にまで広がる連続したデザインの適用を可能にし、バッフルを吊り下げるための吊り下げワイヤーは、バッフルの側面又は上面に配され得る。
【発明の概要】
【発明が解決しようとする課題】
【０００７】
しかしながら、これに関する欠点は、吊り下げワイヤーを被覆材に接続する機械的強度が十分でないことである。良好な音透過性を可能にするためにできるだけ薄い被覆材料が選択されるため、この問題は特に重要となる。
【０００８】
従って、本発明は、部屋の天井において機械的に強い設置を可能にする音響バッフルを提供するとともに、一方の表面から他方の表面までの連続したデザインを可能にする音響バッフルを提供することを課題とする。
【課題を解決するための手段】
【０００９】
この課題は、各独立請求項の特徴を備える音響バッフル及び音響バッフルの製造方法によって解決される。有利な態様は、従属請求項における特徴によって説明される。
【００１０】
本発明は、建物内を通って伝搬する音の吸収のために建物内に配される音響バッフルを備えている。前記音響バッフルは、少なくとも一つの吸音材のパネルを備える。前記音響バッフルは、少なくとも一つの端部をさらに備え、該端部は、形状嵌合によって吊り下げ形材を収容可能にするための大きさ及び形状で前記音響バッフルに配された凹入部を有している。前記凹入部は、機械的に非常に強い接続で前記吊り下げ形材を取り付け可能にし、且つ、部屋の天井におけるバッフルの容易な設置を可能にする。前記凹入部は、多くの方法で形成することができ、前記凹入部は、前記吊り下げ形材が裏側にて係合し得る突出部を提供する場合に有利となる。前記凹入部は、前記パネルに形成され得る。形状嵌合は、前記バッフルに前記形材を留めるための摩擦力を用いることを明らかに含んでいる。形状嵌合は、接続を改善するための接着剤の使用をさらに含んでいる。
【００１１】
好ましくは、前記バッフルはフレームレスである。本明細書で説明される、凹入部に配された吊り下げ形材の使用による天井への前記バッフルの接続は、吊り下げワイヤーを接続するための音響バッフル（すなわち前記パネル）を囲む（金属）フレームの必要性がなくなる。設置にフレームが必要ないため、前記パネルの一方側から他方側に広がる連続したデザインがバッフルに配され得る。
【００１２】
好ましくは、前記凹入部は、前記少なくとも一つの端部に沿って第１側面と第２側面との間に連続して延びている。据え付けられた状態において、前記少なくとも一つの端部は、上側表面を備え、前記凹入部は、前記上側表面においてスリットのように形成されており、前記パネルの端から端に延びている。
【００１３】
有利な態様によれば、前記凹入部は、前記端部（の外側表面）の（外側）表面に対して直角に延びている第１区画と、前記第１区画につながっており前記端部の表面に対して平行に延びている第２区画とを有し、それによってＴ字状の吊り下げ形材を収容可能な凹入部を形成している。Ｔ字状の断面を有する凹入部が提供されることによって、前記凹入部は、前記吊り下げ形材が形状嵌合で裏側にて係合し得る突出部を形成する（備える）。
【００１４】
別の好ましい態様によれば、前記バッフルは、第１パネル部と第２パネル部とを備え、前記第１パネル部と前記第２パネル部とが互いに接続されることによって、前記第１パネル部の一方側の表面が前記第２パネル部の一方側の表面に接触しており、前記第１パネル部と前記第２パネル部との間の接触領域に前記凹入部を形成する。これによって、単一のパネルを折り曲げた、又は、第２パネル部から分離した第１パネル部から前記バッフルを作製可能になる。
【００１５】
好ましくは、前記第１パネル部と前記第２パネル部とは、単一のパネルが折り曲げられてなる二つの部分である。前記折り曲げられたパネルは、デザインが一方側の表面全体にわたって適用されて前記パネルの一方側から他方側まで連続的に且つ継ぎ目なしに広がるように、折り曲げられる前にデザインされ得る。このデザインの態様は、フレームなしの実施形態との組み合わせにおいて特に有利である。
【００１６】
別の有利な態様によれば、前記第１パネル部は第１スリットを備え、前記第２パネル部は第２スリットを備える。前記第１スリット及び前記第２スリットは、（折り曲げられた状態に配されて）前記凹入部の前記第２区画を形成するように並んでいる。これにより、Ｔ字状の断面の形成が可能になり、前記凹入部は、前記吊り下げ形材が形状嵌合で裏側にて係合し得る突出部を含んでいる。
【００１７】
さらに別の態様によれば、前記パネルは、前記第１パネル部と前記第２パネル部との間に配された第３パネル部を備える。分離したＶ字状切欠部分が、前記第１パネル部と前記第３パネル部の間、及び、前記第２パネル部と前記第３パネル部との間それぞれに（配されるように）形成される。前記Ｖ字状切欠部分は、各パネル部を互いに折り曲げ可能にし、好ましくはそれぞれが９０°をなす角度において停止することを提供可能にする。前記第３パネル部の幅は、折り曲げられた状態で、前記第１パネル部が前記第２パネル部に好ましくは平らに接触するように選択される。
【００１８】
好ましくは、前記バッフルは、前側から底側をわたって後側に連続的に且つ継ぎ目なしに広がっているイラスト又は装飾（デザイン）を有している。前記バッフルにおける前記前側から底側をわたって後側への広がりは、前記パネルの一方の表面に前記デザインを適用し、前記第１パネル部、前記第２パネル部及び前記第３パネル部それぞれを折り曲げることによって達成され得る。
【００１９】
前記デザインは、好ましくは、前記パネルの表面にデジタル印刷することによって適用され得る。印刷に使用される特に好ましいインクは、水性である。水性インクを用いることは、ＶＯＣ（揮発性有機化合物）が少ないという利点がある。さらに、水性インクは、バッフル材料の開いた多孔質構造を損なわせず、すなわち、音響的にニュートラルである。
【００２０】
一つの特に好ましい態様は、吊り下げ形材が前記凹入部に配されることに関する。前記吊り下げ形材は、前記バッフルの製造現場にて配されてもよく、前記バッフルが設置されるときに建築現場にて配されてもよい。
【００２１】
本発明の別の態様は、音響バッフルの製造方法に関する。
この方法は、吸音材のパネルを提供するステップと、
（選択的には）前記パネルの少なくとも一つの主たる面上に、好ましくはデジタル印刷によって、イラスト又は装飾を適用するステップと、
前記パネルの別の（主たる面ではない）表面に少なくとも一つのスリットを提供し、形状嵌合によって吊り下げ形材を収容可能な凹入部を形成するステップと、を備えている。
【００２２】
この方法は、凹入部を備える音響バッフルを提供し、該凹入部は前記音響バッフルに関するすでに上記した利点を有する。さらに、前記方法は、前記音響バッフルにデザインを適用するための便利な方法を提供する。
【００２３】
好ましくは、音響バッフルの前記製造方法は、
第１パネル部と第３パネル部との間、及び、第２パネル部と第３パネル部との間それぞれに、分離したＶ字状切欠部分を切り込むステップと、
前記第１パネル部の一方側の表面が前記第２パネル部の一方側の表面に接触するように、前記第１パネル部を前記第２パネル部に対して折り曲げるステップと、をさらに備えている。
【００２４】
この態様は、パネルの一方の側から他方の側まで連続し且つ継ぎ目のないデザイン（イラスト又は装飾）を提供することを可能にするとともに、各パネル部を折り曲げることによって前記音響バッフルを簡便に形成することを可能にする。
【００２５】
好ましくは、前記方法は、折り曲げられたときに吊り下げ形材を収容可能な凹入部を形成するために、前記第１パネル部に第１スリットを切り込み、前記第２パネル部に第２スリットを切り込むステップをさらに備えている。これによって、Ｔ字状の吊り下げ形材が収納可能な凹入部を有するバッフルを製造可能になる。特に好ましくは、前記方法は、前記凹入部に前記吊り下げ形材を配するステップをさらに備えている。
【００２６】
別の態様によれば、前記凹入部の最終位置に到達するまで前記吊り下げ形材が前記凹入部に沿ってスライドするように、前記音響バッフルが前記吊り下げ形材に押し付けられる。
【００２７】
このようなバッフルは、実質的には、特別な道具を用いることなく据え付けることができ、すなわち、建築現場で通常利用可能な道具が必要となるのみである。個々のバッフルは、例えばそれらの短い端部に沿って互いに接続することができ、天井に沿って連続する帯状体を形成してもよい。該接続は、種々の手段、例えば合わせ釘、締金、圧着具又はこれらに類するものによって達成することができる。
【図面の簡単な説明】
【００２８】
以下では、本発明が図面の参照によってより詳細に説明される。図面を通して、同様の参照符号は、同様の特徴を示す。
【００２９】
【図１】図１は、本発明に係る音響バッフルの斜視図である。
【図２】図２は、各パネルの部分が折り曲げられることによって形成された、図１の音響バッフルの斜視図である。
【図３】図３は、上に吊り手段が配された、図２の音響バッフルの斜視図である。
【図４】図４は、本発明の音響バッフルを製造するために折り曲げられる吸音パネルの斜視図である。
【図５】図５は、天井に配された複数の音響バッフルを有する建物の部屋である。
【発明を実施するための形態】
【００３０】
図１は、建物における部屋（図５符号１０参照）の天井に配されたフレームレスの音響バッフル１を示す。音響バッフル１は、多孔質吸音材（例えば、ミネラルウール）のパネル２を備えている。バッフル１は、その上側に、パネル２に配された端部３をさらに備えている。端部３は、パネル２に形成されてパネル２に配された凹入部４を有し、凹入部４は、第１（前）側面２１と第２（後）側面２２との間に連続して延びている。
【００３１】
凹入部４は、端部３（上側の外側表面）の中央部に配されており、バッフル１の中（内部）に（すなわちパネル２の中に）延びており、端部３の上側の外側表面に対して直角に延びている第１区画４１を有する。第２区画４２は、第１区画４１に接合しており、端部３の上側の外側表面に対して平行に延びており、それによってＴ字状の吊り下げ形材を収納可能な大きさを有するＴ字状の凹入部４を形成する（図３符号８で示されている）。凹入部４は、機械的に強い接続で吊り下げ形材を取り付け可能にし、且つ、例えば吊り下げワイヤーを用いることによって部屋の天井に音響バッフル１を短時間で設置可能にする。
【００３２】
折り曲げ可能な音響バッフル１が図２に示されており、バッフル１は、第１パネル部２３、第２パネル部２４及び第３パネル部２５を備えている。二つの分離したＶ字状切欠部分（図４参照）が、第１パネル部２３と第３パネル部２５との間、及び、第２パネル部２４と第３パネル部２５との間に、平行に形成されている。パネル２が折り曲げられた状態では、Ｖ字状切欠部分の表面は、互いに接続している（例えば互いに接着されている）。第１パネル部２３と第２パネル部２４とは、単一の吸音材のパネルが折り曲げられてなる二つの部分である。凹入部４は、好ましくは両方のパネル部における幅全体にわたって延びるように、第１パネル部２３と第２パネル部２４との間の接触領域に配されている。第２区画４２は、Ｔ字状の吊り下げ形材を収容可能な大きさを有するＴ字状の凹入部４を形成するように、第１区画４１に接合している。図４における文脈で説明されるように、第２区画は、各パネル部にスリットが配されることによって形成されている。
【００３３】
このような音響バッフルの設置は図３に示されており、吊り下げ形材８が、凹入部４に配される。吊り下げ形材８は、凹入部４の最終位置に到達するまで、凹入部４に沿ってスライドされ又は押し付けられる。吊り下げ形材８は、フック形状の吊り下げワイヤー９２が配される二つの開口８１を備える。吊り下げワイヤーの反対側の末端部は、ハンガーコネクタを介して（長さ／高さを調節可能に）天井に接続される。
【００３４】
本発明に係る音響バッフルを形成するための折り曲げられるパネル２が、図４に示されている。パネルの作製は、二つのＶ字状切欠部分２６、２７の形成を含んでいる。これらの切欠部分の間の距離は、（折り曲げられたときに）第１パネル部２３と第２パネル部２４とが平らに接触可能なように選択される。該距離は、第３パネル部２５の大きさを定める。
【００３５】
音響バッフルの製造方法は、吸音材のパネル２を提供することを含んでいる。選択的には、イラスト又は装飾（デザイン）が、パネル２の少なくとも一つの主たる表面上に適用される。有利には、デザインは、折り曲げられていないパネルの一つの表面全体（第１、第２及び第３パネル部２３、２４、２５の外側表面）にわたって連続して且つ継ぎ目なく適用される。折り曲げられるパネルにおける凹入部の第２区画（図２符号４２参照）を形成するために、二つのスリット４１１、４１２が提供される。
【００３６】
第１パネル部２３の一方側の表面が第２パネル部２４の一方側の表面に平らに接触するように、且つ、吊り下げ形材を収容する凹入部が形成されるように、第１パネル部２３が、第２パネル部２４に対して折り曲げられる。その後、凹入部の最終位置に到達するまで吊り下げ形材が凹入部に沿ってスライドするように、音響バッフル１が吊り下げ形材に押し付けられる。
【００３７】
図５に示されるように、部屋１０に複数の音響バッフル１を配することができ、見る者に均等に配された視覚的印象を与えるために、複数の音響バッフル１を一つのラインに沿って配することができる。
【図１】
2019523893.tif 000003
【図２】
2019523893.tif 000004
【図３】
2019523893.tif 000005
【図４】
2019523893.tif 000006
【図５】
2019523893.tif 000007
【国際調査報告】
2019523893.tif 000008
2019523893.tif 000009